(57)【要約】【課題】表示画面の光の中にレーザスポットが埋もれないようにする。【解決手段】画像を表示画面に表示する表示部と、表示画面を撮影する撮影部と、表示画面の輝度と撮影部の撮影部の撮影タイミングを制御する制御部とを備え、制御部は撮影部の撮影タイミングに同期して表示画面の輝度を低下させる表示装置。【選択図】図３
2009146297.tif 000002
【特許請求の範囲】
【請求項１】
画像を表示画面に表示する表示部と、表示画面を撮影する撮影部と、表示画面の輝度と撮影部の撮影部の撮影タイミングを制御する制御部とを備え、制御部は撮影部の撮影タイミングに同期して表示画面の輝度を低下させる表示装置。
【請求項２】
表示部が表示画面を照明するバックライトを備え、制御部は、バックライトを制御することにより表示画面の輝度を低下させる請求項１記載の表示装置。
【請求項３】
制御部は、表示部に黒画像を表示させることにより表示画面の輝度を低下させる請求項１記載の表示装置。
【請求項４】
表示画面が偶数ラインと奇数ラインからなり、制御部は、偶数ラインと奇数ラインとを交互に黒表示することにより表示画面の輝度を低下させる請求項１記載の表示装置。
【請求項５】
座標検出部をさらに備え、座標検出部は、撮影部による撮影画像において輝度が所定しきい値を超える画素の座標を検出する請求項１記載の表示装置。
【発明の詳細な説明】
【技術分野】
【０００１】
この発明は表示装置に関し、とくにプレゼンテーションに用いられる表示装置に関する。
【背景技術】
【０００２】
大画面に画像を表示し、その表示画面中にレーザポインタによるレーザスポットが表示された時、表示画面をカメラで撮影してレーザスポットの位置を検出し、マウス動作に結びつけるデータ入力装置が知られている（例えば、特許文献１参照）。
【特許文献１】特開平１０−９１３４４号公報
【発明の開示】
【発明が解決しようとする課題】
【０００３】
しかしながら、表示画面が明るい場合には、レーザスポットが表示画面の光の中に埋もれてしまうので、カメラの撮影によってレーザスポットの位置を明確に検出することが難しいという問題点があった。
【０００４】
この発明はこのような事情を考慮してなされたもので、表示画面の撮影時に表示画面の明るさ（輝度）を制御することにより、レーザスポットの位置を容易に明確に検出することが可能な表示装置を提供するものである。
【課題を解決するための手段】
【０００５】
この発明は、画像を表示画面に表示する表示部と、表示画面を撮影する撮影部と、表示画面の輝度と撮影部の撮影部の撮影タイミングを制御する制御部とを備え、制御部は撮影部の撮影タイミングに同期して表示画面の輝度を低下させる表示装置を提供するものである。
【発明の効果】
【０００６】
撮影部の撮影タイミングに同期して表示画面の輝度が低下するので、レーザポインタによるレーザスポットが表示画面の光の中に埋もれることなく明確に撮影される。
【発明を実施するための最良の形態】
【０００７】
この発明の表示装置は、画像を表示画面に表示する表示部と、表示画面を撮影する撮影部と、表示画面の輝度と撮影部の撮影部の撮影タイミングを制御する制御部とを備え、制御部は撮影部に撮影させると共に、撮影部の撮影タイミングに同期して表示画面の輝度を低下させる、つまり減光させることを特徴とする。
【０００８】
表示部が表示画面を照明するバックライトを備え、制御部はバックライトを制御して表示画面の輝度を低下させてもよい。
制御部は表示部に黒画像を表示させることにより表示画面の輝度を低下させてもよい。
表示画面は偶数ラインと奇数ラインからなり、制御部は偶数ラインと奇数ラインとを交互に黒表示することにより表示画面の輝度を低下させてもよい。
【０００９】
以下、図面に示す実施形態に基づいてこの発明を詳述する。これによってこの発明が限定されるものではない。
実施形態１
図１は実施形態１の表示装置の構成を示す斜視図、図２は同表示装置の構成を示すブロック図である。
【００１０】
これらの図において、パーソナルコンピュータ（以下、パソコンという）１は、発表（プレゼンテーション）に必要な資料やグラフの画像データを予め格納している。制御部２は図２に示すように補正部２１と座標検出部２２と表示制御部２３を備え、ＣＰＵ，ＲＯＭ，ＲＡＭからなるマイクロコンピュータにより一体的に構成される。表示部３は表示画面３ａ（図１）と図示しないバックライトとを備えたプレゼンテーション用大型液晶ディスプレイである。
【００１１】
レーザポインタ４（図１）は表示画面３ａにレーザを照射してレーザスポットＳを形成する。撮影部５は表示画面３ａとレーザスポットＳを撮影するために表示部３の上部に設置されたＣＣＤカメラである。
【００１２】
制御部２において、表示制御部２３は、パソコン１からの指示を受けて表示部３の表示画面３ａにプレゼンテーションに必要な画像を表示する。そして、表示制御部２３は表示画面３ａの輝度を低下させると同時に撮像タイミング信号を撮像部に出力する。撮影部５は表示制御部２３の出力する撮像タイミング信号に同期してレーザスポットＳの撮影を行う。
【００１３】
補正部２１は撮影部５で撮影された画像の台形歪みのような画像歪みを補正する。座標検出部２２は補正された撮影画像において、輝度が所定しきい値を超える画素の座標に基づいてレーザスポットＳの座標を検出し、表示制御部２３に入力する。
【００１４】
表示制御部２３は、レーザスポットＳの座標をパソコン１へ伝達すると共に、その座標にマウスカーソルのような特定の表示マークを合成し、表示画面３ａに表示する。つまり、レーザスポットＳを表示マークに変換する。使用者がレーザポインタ４によってレーザスポットＳを移動させると、表示画面３ａの表示画像上を表示マークが移動し、マイコン１のマウスカーソルとして作動する。
【００１５】
なお、マウスクリック動作やドラック動作させる場合には、レーザポインタ４の出射するレーザ光を、対応する周波数で点滅させる。それによって対応するマウス動作信号が表示制御部２３からパソコン１へ入力される。
【００１６】
表示画面３ａの輝度の低下は、実施形態１では、表示制御部２３が所定時間間隔で表示画面３ａに通常の画面（図３の（ａ））と、減光画面（図３の（ｂ））と交互に表示させることによって行われる。たとえば、通常の画面を８msec，減光画面を８msec表示する。
図４は、この場合における表示と撮影のタイミングを示すタイミングチャートである。図４の（ａ）においては、ＯＮが通常の画面を表示するタイミングであり、ＯＦＦが減光画面を表示するタイミングである。
図４の（ｂ）においては、ＯＮが撮影部５の撮影タイミングを、ＯＦＦが非撮影タイミングを示している。
【００１７】
このようにして、表示制御部２３は撮影部５に減光画面におけるレーザスポットＳを撮影させる。従って、レーザスポットＳは表示光に埋もれることなく撮影される。なお、減光画面（図３の（ｂ））の表示は、表示制御部２３が、表示画面３ａの全面に黒画像を表示するか、表示部３のバックライトを消灯することにより行われる。
【００１８】
実施形態２
図５は図２対応図であり、この実施形態では制御部２において、転送制御部２４が実施形態１（図２）の撮影部５と補正部２１との間に、新しく追加され、表示制御部２３が転送制御部２４を制御するようにしている。その他の構成は図１と図２に示すものと同等である。
【００１９】
この実施形態では、表示制御部２３は図６の（ａ），（ｂ）に示すように所定周期（例えば、８msec）で交互に表示画面３ａの走査線の奇数ラインと偶数ラインとを黒表示する。それによって、表示画面３ａが減光される。
【００２０】
そして、撮影部５は常時撮影を行い、転送制御部２４は、奇数ラインを黒表示するタイミングでは撮影画像データの内の奇数ラインのデータを補正部２１へ転送し、偶数ラインを黒表示するタイミングでは撮影データの内の偶数ラインのデータを補正部２１へ転送する。
【００２１】
図７は、このような表示と撮影と転送とのタイミングを示すタイミングチャートである。  図７の（ａ）ではＯＮが偶数ラインの黒表示タイミングを、ＯＦＦが非表示タイミングを示す。同図（ｂ）では、ＯＮが奇数ラインの黒表示タイミングをＯＦＦが非表示タイミングを示す。
【００２２】
同図（ｃ）では、ＯＮが撮影部５の撮影タイミングを示す。
同図（ｄ）では、ＯＮが転送制御部２４の偶数ライン画像データの転送タイミングを、同図（ｅ）では、ＯＮが奇数ライン画像データの転送タイミングを示す。
【００２３】
図７に示されるように、偶数ラインと奇数ラインが交互に黒表示され、各表示期間に撮影が行われ、偶数ラインの黒表示時の撮像データが奇数ラインの黒表示期間に転送され、奇数ラインの黒表示時の撮像データが偶数ラインの黒表示期間に転送されるようになっている。
【００２４】
図８は、奇数ラインの撮影データと偶数ラインの撮影データを確定するフローチャートである。
図８において、表示画面３ａの奇数ラインに図５（ａ）のように黒表示が行われ（ステップＳ１）、撮影部５によって表示画面３ａ全体が撮影される（ステップＳ２）。
【００２５】
転送制御部２４において撮影データの黒画素が抽出され（ステップＳ３）、抽出された黒画素の座標データが奇数ライン画像データとして確定され記憶される（ステップＳ４）。
なお、ステップＳ３において抽出される黒画素は、撮像データの画素の中で所定の光量に達していない画素である。
【００２６】
次に、表示画面３ａの偶数ラインに図５（ｂ）のように黒表示が行われ（ステップＳ５）、撮影部５によって表示画面３ａ全体が撮影される（ステップＳ６）。転送制御部２４において撮影データの黒画素が抽出され（ステップＳ７）、抽出された黒画素の座標データが偶数ラインの画像データとして確定され記憶される（ステップＳ８）。
そして、確定された奇数および偶数ラインの画像データにおいて、輝度が所定しきい値を超える画素の座標がレーザスポットＳの座標として検出（確定）される。
【図面の簡単な説明】
【００２７】
【図１】この発明の実施形態１の構成を示す斜視図である。
【図２】この発明の実施形態１の構成を示すブロック図である。
【図３】この発明の実施形態１の表示画面の説明図である。
【図４】この発明の実施形態１の表示と撮影のタイミングチャートである。
【図５】この発明の実施形態２の図２対応図である。
【図６】この発明の実施形態２の図３対応図である。
【図７】この発明の実施形態２の表示と撮影と転送のタイミングチャートである。
【図８】この発明の実施形態２の奇数および偶数ラインの撮影データを確定するフローチャートである。
【符号の説明】
【００２８】
１    パーソナルコンピュータ
２    制御部
３    表示部
３ａ  表示画面
４    レーザポインタ
５    撮影部
２１    補正部
２２    座標検出部
２３    表示制御部
２４    転送制御部
Ｓ    レーザスポット
【図１】
2009146297.tif 000003
【図２】
2009146297.tif 000004
【図３】
2009146297.tif 000005
【図４】
2009146297.tif 000006
【図５】
2009146297.tif 000007
【図６】
2009146297.tif 000008
【図７】
2009146297.tif 000009
【図８】
2009146297.tif 000010